(57)【要約】【課題】局所的な照明が可能で、かつ常夜灯の機能を備えた埋め込み型照明装置を提供する。【解決手段】透光性を備えたカップ状の基板１１と、基板１１によって形成される内部空間２０に位置する光源１２と、光源１２から見て基板１１の裏面に沿って形成され透光性を備えた第１の電極１６と、第１の電極１６の裏面に沿って形成され光源１２より小さい輝度の光を発光可能で透光性を備えた発光層１５と、発光層１５の裏面に沿って形成され反射性を備えた第２の電極１７と、が設けられた発光素子１３と、光源１２と発光素子１３を個別に点灯させる点灯回路１４と、を有する。【選択図】  図１
2011028941.tif 000002
【特許請求の範囲】
【請求項１】
透光性を備えたカップ状の基板と、
前記基板によって形成される内部空間に位置する光源と、
前記光源から見て前記基板の裏面に沿って形成され透光性を備えた第１の電極と、前記第１の電極の裏面に沿って形成され前記光源より小さい輝度の光を発光可能で透光性を備えた発光層と、前記発光層の裏面に沿って形成され反射性を備えた第２の電極と、が設けられた発光素子と、
前記光源と前記発光素子を個別に点灯させる点灯回路と、
を有する埋め込み型照明装置。
【請求項２】
透光性と反射性を備えたカップ状の基板と、
前記基板によって形成される内部空間に位置する光源と、
前記光源から見て前記基板の裏面に沿って設けられ、前記光源より小さい輝度の光を発光可能な発光素子と、
前記光源と前記発光素子を個別に点灯させる点灯回路と、
を有する埋め込み型照明装置。
【請求項３】
前記発光素子の輝度が、前記点灯回路から印加される電圧の大きさに応じて変化する、請求項１または請求項２に記載の埋め込み型照明装置。
【請求項４】
前記発光素子は、前記基板の前記裏面の一部に設けられている、請求項１から請求項３までのいずれかに記載の埋め込み型照明装置。
【請求項５】
前記発光素子は、前記基板の前記開口部の周縁に隣接する端部領域に設けられている、請求項４に記載の埋め込み型照明装置。
【請求項６】
前記発光素子は、有機発光ダイオードである、請求項１から請求項５までのいずれかに記載の埋め込み型照明装置。
【発明の詳細な説明】
【技術分野】
【０００１】
本発明は、天井や壁に埋め込んで設置する埋め込み型照明装置に関する。
【背景技術】
【０００２】
照明装置には、天井や壁に埋め込んで設置する埋め込み型照明装置、いわゆるダウンライトがある。図４は、一般的なダウンライトを示す斜視図である。図４では、ダウンライト１００が天井２００に埋め込まれた状態を示している。ダウンライト１００は、図４に示すように、半球状の反射板１０１と、反射板１０１に形成される半球状の内部空間に収容されている光源１０２と、天井２００に埋め込まれ、反射板１０１を収容する筐体１０３と、を有する。ダウンライト１００では、光源１０２が点灯すると、光源１０２の光が反射板１０１で反射し、反射光が反射板１０１の開口部より放出される。これにより、ダウンライト１００の直下が照明される。
【０００３】
図４に示すようなダウンライトは、主に施設用照明装置として使用されるが、近年では住宅用照明装置として使用される場合がある。この場合、ダウンライトは、反射板で照明範囲を一定の範囲内に制限できるので、住宅内において局所的な照明で十分な場所（例えば廊下）の設置に適している。
【先行技術文献】
【特許文献】
【０００４】
【特許文献１】特開２００７−１７３４２４号公報
【発明の概要】
【発明が解決しようとする課題】
【０００５】
住宅用照明装置は、室内照明の機能だけでなく、夜間時における防犯機能、すなわち室内照明時よりも暗い照明環境を作り出す常夜灯の機能も備えていることが望ましい。しかし、図４に示すようなダウンライトは、常夜灯の機能を備えていない。そのため、このようなダウンライトを住宅用照明装置として用いた場合、夜間時において、ダウンライトを点灯させると必要以上に明るい照明環境となり、反対にダウンライトを消灯させると真っ暗となり防犯機能が損なわれるという問題が起こり得る。
【０００６】
そこで、本発明は、局所的な照明が可能で、かつ常夜灯の機能を備えた埋め込み型照明装置を提供することを目的とする。
【課題を解決するための手段】
【０００７】
上記目的を達成するための本発明による他の埋め込み型照明装置は、透光性を備えたカップ状の基板と、前記基板によって形成される内部空間に位置する光源と、前記光源から見て前記基板の裏面に沿って形成され透光性を備えた第１の電極と、前記第１の電極の裏面に沿って形成され前記光源より小さい輝度の光を発光可能で透光性を備えた発光層と、前記発光層の裏面に沿って形成され反射性を備えた第２の電極と、が設けられた発光素子と、前記光源と前記発光素子を個別に点灯させる点灯回路と、を有する。
【０００８】
また、上記目的を達成するための本発明による他の埋め込み型照明装置は、透光性と反射性を備えたカップ状の基板と、前記基板によって形成される内部空間に位置する光源と、前記光源から見て前記基板の裏面に沿って設けられ、前記光源より小さい輝度の光を発光可能な発光素子と、前記光源と前記発光素子を個別に点灯させる点灯回路と、を有する。
【発明の効果】
【０００９】
本発明の埋め込み型照明装置によれば、第２の電極または基板で光源の照明範囲を制限できるので、局所的な照明が可能である。また、発光素子で光源よりも暗い照明環境を作り出せるので、発光素子の輝度を常夜灯として適切な値に調整することによって、常夜灯として機能させることが可能となる。
【図面の簡単な説明】
【００１０】
【図１】本発明の埋め込み型照明装置の一実施形態を示す断面図である。
【図２】図１に示す領域Ａの拡大図である。
【図３】本発明の埋め込み型照明装置の他の実施形態を示す断面図である。
【図４】一般的なダウンライトを示す斜視図である。
【発明を実施するための形態】
【００１１】
（実施形態１）
図１は、本発明の埋め込み型照明装置の一実施形態を示す断面図である。
【００１２】
図１に示すように、埋め込み型照明装置１では、筐体１０は、基板１１、光源１２、および発光素子１３を収容し、天井２００に埋め込められている。また、筐体１０には、光源１２および発光素子１３を個別に点灯させる点灯回路１４が収容されている。なお、図１では、埋め込み型照明装置１の右半分における光源１２の記載を省略している。
【００１３】
基板１１は、カップ状に加工され、透光性を備えた基板（例えば、ガラス基板）であり、内部空間２０と開口部２１とが形成されている。なお、本明細書において、カップ状には、半球状、すり鉢状、その他光源１２の光を予め設定された照明範囲に対応付けて配光できる形状が含まれる。
【００１４】
カップ状の内部空間２０には、光源１２が収容されている。光源１２には、例えば、白熱電球、蛍光灯、ＬＥＤなどを用いる。
【００１５】
光源１２から見て基板１１の裏面には、発光素子１３が該裏面に沿って設けられている。ここで、図２を参照しながら発光素子１３の構造について説明する。
【００１６】
図２は、図１に示す領域Ａの拡大図である。発光素子１３は、有機発光ダイオードであり、発光層１５と、第１の電極１６と、第２の電極１７とを有する。発光素子１３は、図２に示すように、基板１１の裏面に沿って第１の電極１６が形成され、第１の電極１６の裏面に沿って発光層１５が形成され、発光層１５の裏面に沿って第２の電極１７が形成されている。
【００１７】
発光層１５は、透光性を備え、点灯回路１４からの印加電圧の大きさに応じて輝度が変化する。輝度の下限値は、光源１２よりも小さく、常夜灯として適切な値以下である。なお、発光層１５の輝度の上限値は特に制限されない。第１の電極１６は、透明な陽極であり、点灯回路１４に接続されている。第２の電極１７は、反射性を備えた陰極（例えば、アルミニウム）であり、電極１６と同様に点灯回路１４に接続されている。第１の電極１６、第２の電極１７と点灯回路１４との接続形態は、特に限定されるものでなく、例えば筐体１０内に電線を通し、この電線を介して第１の電極１６、第２の電極１７と点灯回路１４とを接続すればよい。なお、点灯回路１４は、点灯信号が入力されたとき、予め定められた順番に従って光源１２または発光素子１３を点灯させるように構成されていてもよいし、予め光源１２および発光素子１３に対してそれぞれ割り当てられたチャンネル（周波数）の点灯信号に従って動作するように構成されていてもよい。
【００１８】
上記のように構成される埋め込み型照明装置１において、光源１２が点灯し、発光素子１３が消灯しているときは、光源１２の光が第２の電極１７で反射し、反射光が開口部２１より放出される。このとき、第２の電極１７がカップ状に加工された基板１１に沿って形成されているので、反射光が予め設定された照明範囲に対応付けて配光される。これにより、埋め込み型照明装置１は局所的な照明が可能である。
【００１９】
反対に、光源１２が消灯し、発光素子１３が点灯しているときは、発光素子１３の光が基板１１を透過し、透過光が開口部２１より放出される。このとき、発光素子１３の輝度が常夜灯として適切な値になるように発光素子１３への印加電圧を調整することによって、埋め込み型照明装置１は、常夜灯として機能する。
【００２０】
本実施形態では、光源１２とは別に発光可能な発光素子１３が基板１１の裏面に沿って設けられ、発光素子１３は光源１２よりも小さい輝度の光を発光可能である。これにより、埋め込み型照明装置１は、局所的な照明が可能であり、かつ常夜灯の機能を備える。
【００２１】
また、本実施形態では、発光素子１３の輝度が印加電圧の大きさに応じて変化するので、調光できる。さらに、本実施形態では、発光素子１３が有機発光ダイオードなので、光源１２に調光可能な蛍光灯を用いる場合に比べ常夜灯の機能を安定させることが可能となる。これは、蛍光灯を常夜灯として適切な明るさに減光しようとすると、放電維持に必要なエネルギー量を保てなくなり、チラツキの発生が懸念されるのに対し、有機発光ダイオードは減光する際に放電エネルギーを考慮する必要がなく電圧制御により減光状態を安定させることが可能だからである。
【００２２】
また、本実施形態では、図１に示すように発光素子１３が基板１１の裏面全体に沿って配置された形態に限定されず、発光素子１３が基板１１の裏面の一部に沿って配置された形態であってもよい。この場合、発光素子１３の面積が減少するので、埋め込み型照明装置１が常夜灯として機能する際の消費電力を抑えることが可能となる。なお、発光素子１３が基板１１の裏面の一部に配置される形態では、図３に示すように発光素子１３を基板１１の開口部２１の周縁に隣接する端部領域２２に設けることが望ましい。この場合、発光素子１３が点灯した際に光源１２によって照明が遮られる領域を最小限に抑えることができる。
【００２３】
（実施形態２）
本実施形態の埋め込み型照明装置の構成は、基板１１が透光性と反射性とを備えている（半透明である）点を除いて、図１に示す実施形態１の埋め込み型照明装置と同じである。
【００２４】
本実施形態の埋め込み型照明装置では、光源１２が点灯し、発光素子１３が消灯しているときは、光源１２の光が基板１１で反射し、反射光が開口部２１より放出される。このとき、基板１１がカップ状に加工されているので、反射光が予め設定された照明範囲に対応付けて配光される。これにより、埋め込み型照明装置１は局所的な照明が可能である。
【００２５】
反対に、光源１２が消灯し、発光素子１３が点灯しているときは、発光素子１３の光が基板１１を透過し、透過光が開口部２１より放出される。このとき、発光素子１３の輝度が常夜灯として適切な値になるように発光素子１３への印加電圧を調整することによって、本実施形態の埋め込み型照明装置は、常夜灯として機能する。
【００２６】
本実施形態においても、実施形態１と同様に光源１２とは別に発光可能な発光素子１３が基板１１の裏面に沿って設けられ、発光素子１３は光源１２よりも小さい輝度の光を発光可能である。なお、本実施形態では、基板１１が光源１２の光の照明範囲を制御する機能と、発光素子１３の光を開口部２１より放出させる機能とを兼ね備えている。これにより、本実施形態の埋め込み型照明装置も、実施形態１の埋め込み型照明装置と同様に、局所的な照明が可能であり、かつ常夜灯の機能を備える。
【００２７】
また、本実施形態においても実施形態１と同様に、発光素子１３の輝度が印加電圧の大きさに応じて変化するので、調光できる。また、本実施形態においても発光素子１３が有機発光ダイオードなので、光源１２に調光可能な蛍光灯を用いる場合に比べ常夜灯の機能を安定させることが可能となる。
【００２８】
また、本実施形態においても実施形態１と同様に、発光素子１３が基板１１の裏面の一部に沿って配置されていてもよい。この場合、実施形態１と同様に図３に示すように発光素子１３を基板１１の開口部２１の周縁に隣接する端部領域２２に設けることが望ましい。
【符号の説明】
【００２９】
１  埋め込み型照明装置
１０、１０３  筐体
１１  基板
１２、１０２  光源
１３  発光素子
１４  点灯回路
１５  発光層
１６  第１の電極
１７  第２の電極
２０  内部空間
２１  開口部
２２  端部領域
１００  ダウンライト
１０１  反射板
２００  天井
【図１】
2011028941.tif 000003
【図２】
2011028941.tif 000004
【図３】
2011028941.tif 000005
【図４】
2011028941.tif 000006